(57)【要約】【課題】呼吸に伴いマスク本体部の鼻口側との接触面に付着した菌の増殖や、塵、花粉等を介した菌の増殖を防ぎ、且つ、マスク装着時の顔との接触面の濡れを抑制でき、このため長時間の使用や繰り返しの使用においても衛生的で快適に使用でき、しかも花粉症予防やマスク装着部の保湿性にも優れる、新たなマスクを提供すること。【解決手段】マスクの本体部が二層以上のシートからなる多層構造体をなし、また鼻口側より一層目のシートと二層目のシートとの間にはポケットが形成されてなり、該ポケットには、抗菌成分、花粉症予防成分及び保湿成分からなる群から選択される少なくとも二種の成分を含有する薬液を含浸させた不織布が収納されてなり、そして該マスク本体部の鼻口側より一層目のシートには撥水処理が施されている、マスク。【選択図】図１
2013172836.tif 000002
【特許請求の範囲】
【請求項１】
マスクの本体部が二層以上のシートからなる多層構造体をなし、また鼻口側より一層目のシートと二層目のシートとの間にはポケットが形成されてなり、
該ポケットには、抗菌成分、花粉症予防成分及び保湿成分からなる群から選択される少なくとも二種の成分を含有する薬液を含浸させた不織布が収納されてなり、そして
該マスク本体部の鼻口側より一層目のシートには撥水処理が施されている、マスク。
【請求項２】
前記薬液を含浸させた不織布が、抗菌成分及び花粉症予防成分を含有する薬液、又は、抗菌成分及び保湿成分を含有する薬液を含浸させた不織布である、請求項１に記載のマスク。
【発明の詳細な説明】
【技術分野】
【０００１】
本発明は、鼻及び口の部分に当てる衛生マスクに関する。
【背景技術】
【０００２】
病菌や埃等が呼吸に伴って体内に入るのを防止し、また口や鼻からの分泌物などを周囲に撒き散らさないようにすることを目的とする衛生マスクは、日常生活におけるハウスダスト対策、風邪予防・感染対策などに用いられており、近年では花粉症予防にも有効であることから、数多くの製品が提案されている。
【０００３】
例えば、不織布等の伸縮性シートを使用して、着用者の少なくとも口もとに対する覆い部と、該覆い部の対向両側から後方へ延びる耳掛け部とを一体的に形成することにより、組立てるための手間とコストの低減を実現した使い捨て衛生マスク（特許文献１）、長方形状のマスク本体部の長辺に平行に沿って折りたたんで設けられた折り目を設けることにより、呼吸する空間をマスク本体部と顔面との間に確保し、運搬時や収納時にたくさん重ねる際に取扱いが簡易で、デッドスペースをなくすことができるマスク（特許文献２）など、種々の目的や課題に応じたマスクの提案が為されている。
【先行技術文献】
【特許文献】
【０００４】
【特許文献１】特開平０９−１４９９４５号公報
【特許文献２】特開平１１−０９９２１６号公報
【発明の概要】
【発明が解決しようとする課題】
【０００５】
このように衛生マスクはハウスダスト対策、風邪対策また花粉症対策などに有効であるものの、長時間使用したり繰り返し使用したりすると、マスクに付着した菌がその間に増殖する虞があり、かえって不衛生になるという問題がある。
また、長時間マスクを使用すると、マスク本体部の鼻口側との接触面が呼気の水分によって濡れて口の周りに付着してしまい、使用者に不快感を生じさせるだけでなく、この点も不衛生につながるという問題もある。
【０００６】
本発明は、呼吸に伴いマスク本体部の鼻口側との接触面に付着した菌の増殖や、塵、花粉等を介した菌の増殖を防ぎ、且つ、マスク装着時の顔との接触面の濡れを抑制でき、このため長時間の使用や繰り返しの使用においても衛生的で快適に使用でき、しかも花粉症予防やマスク装着部の保湿性にも優れる、新たなマスクを提供することを課題とする。
【課題を解決するための手段】
【０００７】
本発明者らは上記の課題を解決する為に鋭意検討を進めた結果、マスクの本体部を二層以上のシートからなる多層構造とし、鼻口側からの一層目のシートと二層目のシートとの間に抗菌成分等を含浸させた布を収納できるポケットを形成し、該一層目のシートに撥水処理を施すことにより、雑菌の繁殖やマスクの濡れを低減できることを見出し、本発明を完成させた。
【０００８】
すなわち、本発明は、マスクの本体部が二層以上のシートからなる多層構造体をなし、また鼻口側より一層目のシートと二層目のシートとの間にはポケットが形成されてなり、該ポケットには、抗菌成分、花粉症予防成分及び保湿成分からなる群から選択される少なくとも二種の成分を含有する薬液を含浸させた不織布が収納されてなり、そして該マスク
本体部の鼻口側より一層目のシートには撥水処理が施されている、マスクに関する。
上記マスクにおいて、前記薬液を含浸させた不織布が、抗菌成分及び花粉症予防成分を含有する薬液、又は、抗菌成分及び保湿成分を含有する薬液を含浸させた不織布であることがより好ましい。
【発明の効果】
【０００９】
本発明によれば、マスクの本体部に設けられたポケットに抗菌成分を含有する薬液を含浸させた不織布を収納することにより、マスク装着時に大気中や呼気に含まれる雑菌等による菌の増殖を抑制できる。また、本発明のマスクを装着することにより、前述の抗菌成分等を含有する薬液を含浸させた不織布において、該薬液並びに該薬液を含浸させた不織布が大気中の花粉や埃を捕捉することができるため、装着者が花粉や埃を吸い込むことをより防止することができる。
さらに抗菌成分に加えて、花粉症予防成分を含有する薬液を含浸させることにより、装着者の呼吸に伴い該成分が装着者の吸気に取り込まれることで花粉症予防につながり、また、保湿成分を含有する薬液を含浸させることにより、装着者の呼吸に伴い該成分が装着者の呼気に取り込まれてマスクとマスク装着部分（マスクで覆われた顔の部分）の間の空間に蒸散することにより、マスク装着部分に保湿成分を浸透させることもできる。
そして鼻口側より一層目のシートに撥水処理を処理を施すことにより、呼気の水分によって鼻口側の接触面が濡れて口の周りに付着するという不快感を防止することができる。
【図面の簡単な説明】
【００１０】
【図１】図１は、本発明のマスクの一実施態様を示す正面図である。
【図２】図２は、図１におけるＡ−Ａ’線断面図である。
【発明を実施するための形態】
【００１１】
本発明において、マスク本体部を構成するシート材料としては、通気性を有するものであればよく、パルプ、綿、レーヨン、合成繊維（ポリプロピレン、ポリエチレン等のポリオレフィン、ポリエチレンテレフタレート、ポリブチレンテレフタレート等のポリエステル、ナイロン６、ナイロン６６等のポリアミドおよびこれらの共重合体、ポリ塩化ビニル、アクリル系およびアクリル系共重合体、ポリスチレン、ポリスルホン、ポリトリフロロクロロエチレン、ポリカーボネート、ポリウレタンなど）を使用したスパンレース、スパンボンド、メルトブロー、メルトボンド、ニードルパンチ、ステッチボンド、サーマルボンド等の湿式・乾式不織布や、ポリエステル、アクリル、ナイロン、アセテート、レーヨン、ウール、綿、綿混紡等の織物、編物や、和紙、洋紙そして、通気孔を有するポリエステル、ポリエチレン、ポリプロピレン、エチレン−ビニルアルコール共重合体、エチレン−酢酸ビニル共重合体等のフイルムなどを用いることができる。
中でも上記不織布、特に強度の強い不織布であるスパンボンド不織布や、肌触りのよいサーマルボンド不織布、フィルタ機能（防塵性）の高いメルトブロー不織布などを好適に使用し得る。また、これらシート材料は、一種又は複数種を組み合わせて用いても良い。
【００１２】
マスクの本体部は、上述のシート材料から形成される二層以上のシートからなり、鼻口側（装着者の肌に対向する側）よりの一層目のシートと、二層目のシートとの間に、ポケットが形成されてなる。
前記ポケットは、後述する抗菌成分等を含有する薬液を含浸させた上述の材質からなる不織布を収納可能となるように形成され、例えば一層目のシートと二層目のシートの全面をラミネートして一体化させずに、一層目のシートと二層目のシートの周囲のみをラミネート（縫製・接着・圧着・溶着等）することにより、前記不織布を収納可能なポケットを設けることができる。
該ポケットは、前記不織布の収納を容易とするため、開口部が設けられていてよい。
【００１３】
前述のポケットには、抗菌成分、花粉症予防成分及び保湿成分からなる群から選択される少なくとも二種の成分を含有する薬液を含浸させてなる不織布が収納される。
個々で使用される不織布としては、合成繊維（ポリプロピレン、ポリエチレン等のポリオレフィン、ポリエチレンテレフタレート、ポリブチレンテレフタレート等のポリエステル、ナイロン６、ナイロン６６等のポリアミドおよびこれらの共重合体、ポリ塩化ビニル、アクリル系およびアクリル系共重合体、ポリスチレン、ポリスルホン、ポリトリフロロクロロエチレン、ポリカーボネート、ポリウレタンなど）を使用したスパンレース、スパンボンド、メルトブロー、メルトボンド、ニードルパンチ、ステッチボンド、サーマルボンド等の湿式・乾式不織布等を挙げることができ、これら不織布からなるシートを好適に使用できる。
上記不織布の大きさや厚さは、前記ポケットに収容できる大きさ・厚さであれば特に限定されず、また上記抗菌成分等を含有する薬液を適当量含浸することができ、且つ、装着者の呼吸によって該薬液が蒸散できるような通気性（目付量）を有しているなるよう、適宜選択される。
【００１４】
前記抗菌成分としては、例えばカテキン、プロポリス、緑茶、煎茶、キトサンなどが挙げられ、これら一種を単独で、又は二種以上を組合わせて使用可能である。
前記花粉症予防成分としては、例えばスギ花粉エキス、乳酸菌、紫蘇、甜茶、ルイボスティー、ハトムギ、ハーブなどが挙げられ、これら一種を単独で、又は二種以上を組合わせて使用可能である。
そして前記保湿成分としては、例えばコラーゲン、ヒアルロン酸、プラセンタ、コンドロイチン、グリコール類、グリセリン類などが挙げられ、これら一種を単独で、又は二種以上を組合わせて使用可能である。
上記成分のうちの二種を組み合わせる際、抗菌成分と花粉症予防成分の組み合わせ、又は、抗菌成分と保湿成分の組み合わせがより好ましい。
これら抗菌成分、花粉症予防成分及び保湿成分は、液体であればそのまま、或いは適当な液体（水や溶媒等）に希釈、或いは溶解又は分散させてこれら成分を含有する薬液とし、該薬液を前述の不織布に含浸させた後、前述のマスク本体部のポケットに収容する。
【００１５】
またマスクの本体部の鼻口側よりの一層目のシートには撥水処理が施されてなる。これは例えば上述の不織布等のシート材料を撥水剤の液に浸漬したり、該撥水剤の液をシート材料の表面に噴霧やコーティングするなどにより、撥水処理を実施できる。
撥水剤の例としては、フッ素系撥水剤、天然ワックスや合成ワックス類、シリコン系撥水剤など、当該技術分野において通常使用される各種撥水剤が使用可能である。
【実施例】
【００１６】
本発明の望ましい実施形態をさらに具体的に説明するが、これによって本発明が限定されるものではない。
【００１７】
以下、本発明を好ましい実施態様に基づき図面を参照しながら説明する。
図１には本発明のマスクの一実施態様を示す正面図であり、図２は図１におけるＡ−Ａ’線断面図である。図２中、紙面の左側がマスク１を装着した際に肌（鼻口側）に対向する側（以下、内側とも称する）であり、紙面の右側が外方を向く側（以下、外側とも称する）である。なお図２は、マスク本体部２のプリーツ構造２５を省略して描いている。
【００１８】
図１に示すように、マスク１は、マスク本体部２と、マスク本体部２の左右両側部に取り付けられた伸縮性材料からなる耳掛け紐３とを備えてなる。
マスク本体部２は、図２に示すように、鼻口側より一層目の本体内側部２１と二層目の本体外側部２２とからなる多層シート構造を備え、マスク本体部２の上部において本体内側部２１と本体外側部２２を接着せずに開口となるように構成することにより、本体内側
部２１と本体外側部２２との間に開口部２３ａから薬液含浸体４を収納できるポケット２３を形成した。
【００１９】
マスク本体部２において、本体内側部２１はシリコン系撥水剤を用いて撥水処理したポリオレフィン系サーマルボンド不織布シートを使用し、本体外側部２２はポリオレフィン系スパンボンド不織布（２２ａ）とポリオレフィン系メルトブロー不織布（２２ｂ）のラミネート不織布シートを使用した。
【００２０】
なお、マスク本体部２（本体内側部２１及び本体外側部２２）は、図１に示すように外側に向かって膨らむことが可能なプリーツ構造２５を設けた。
【００２１】
また図１及び図２に示すように、マスク本体部２の上端縁近傍には、本体内側部２１と同種の不織布からなる止め部材２４ａに保持されてなる、マスク本体部２の横方向に伸びる、金属製の薄板からなるノーズクランプ２４を設けた。なおノーズクランプ２４は、マスク１を装着した場合に、マスク本体部２の上端縁及びその近傍の部位が鼻の凹凸形状に沿うようにするためのものであり、その長さはマスク本体部２の横幅よりも若干短いものとした。
【００２２】
前記薬液含浸体４には、ポリエステル系スパンレース不織布（目付量：４０ｇ／ｍ2）
を用い、これをカテキンと甜茶エキスの１：１混合薬液に含浸させた。
この薬液含浸体４を、マスク本体部２のポケット３に収納し、本発明のマスク１とした。
【符号の説明】
【００２３】
１  ・・・マスク
２  ・・・マスク本体部
２１・・・本体内側部
２２・・・本体外側部
２３・・・ポケット
２４・・・ノーズクランプ
２５・・・プリーツ構造
３  ・・・耳掛け紐
４  ・・・薬液含浸体
【図１】
2013172836.tif 000003
【図２】
2013172836.tif 000004